(57)【特許請求の範囲】
【請求項１】
コンテンツを第１の記録媒体へ記録する記録手段と、
前記第１の記録媒体に記録されたコンテンツを第２の記録媒体へコピーする制御を行なう制御手段と、
前記第１の記録媒体に記録されたコンテンツのコピー制限に関する残りコピー回数情報を取得するコピー回数取得手段と、
警告表示を行なうか否かの判定を行なう警告表示判定手段と、
前記警告表示判定手段の判定結果情報を得て警告メッセージを生成する警告情報生成手段と、
前記第２の記録媒体に対して読み書きを行なう記録媒体制御手段と、
コンテンツを比較し、同一か否かの判定を行なうコンテンツ比較判定手段と、
を備え、
前記第１の記録媒体に記録されたコンテンツを前記第２の記録媒体へコピーする際に、前記警告表示判定手段は、前記コピー回数取得手段から前記残りコピー回数情報を取得して、警告表示についての判定を行ない、
前記制御手段の制御により、前記記録媒体制御手段は、前記第２の記録媒体に記録されたコンテンツおよび該コンテンツに関する情報を取得し、
前記コンテンツ比較判定手段は、前記記録手段から前記第１の記録媒体に記録されたコンテンツおよび／または該コンテンツに関する情報を、前記記録媒体制御手段から前記第２の記録媒体に記録されたコンテンツおよび／または該コンテンツに関する情報を取得して、コンテンツの比較および判定を行ない、
前記警告表示判定手段は、前記残りコピー回数情報と、前記コンテンツ比較判定手段からの判定結果情報とから、警告表示についての判定を行ない、警告表示を行う判定の場合、異なる警告メッセージを生成するよう前記警告情報生成手段に前記判定結果情報を出力することを特徴とするコンテンツ記録装置。
【請求項２】
前記警告表示判定手段は、前記残りコピー回数情報と１つ以上のしきい値とを比較して、その結果により異なる警告メッセージを生成するよう前記警告情報生成手段に判定結果情報を出力することを特徴とする請求項１に記載のコンテンツ記録装置。
【請求項３】
前記警告表示判定手段は、前記第２の記録媒体における、前記第１の記録媒体に記録されたコンテンツと同一のコンテンツの数をしきい値と比較して、その結果により異なる警告メッセージを生成するよう前記警告情報生成手段に判定結果情報を出力することを特徴とする請求項１に記載のコンテンツ記録装置。
【請求項４】
前記警告表示判定手段は、前記第２の記録媒体に、前記第１の記録媒体に記録されたコンテンツと同一のコンテンツがない場合、警告表示しない判定を行なうことを特徴とする請求項１から請求項３のいずれか１つに記載のコンテンツ記録装置。
【請求項５】
前記警告メッセージによりコピーの実行を行なうか入力を受け付ける入力手段を備え、
前記制御手段は、前記警告表示判定手段からの判定結果情報と、前記入力手段からの入力情報とにより、前記記録媒体制御手段に、前記第１の記録媒体に記録されたコンテンツを前記第２の記録媒体にコピーさせる制御を行なうことを特徴とする請求項１から請求項４のいずれか１つに記載のコンテンツ記録装置。
【請求項６】
前記警告情報生成手段は、前記警告メッセージを映像または音声として生成することを特徴とする請求項１から請求項５までのいずれか１つに記載のコンテンツ記録装置。
【請求項７】
コンテンツを第１の記録媒体から第２の記録媒体にコピーするコンテンツ記録方法であって、
前記第１の記録媒体に記録されたコンテンツおよび／または該コンテンツに関する情報を取得するステップと、
前記第２の記録媒体に記録されたコンテンツおよび／または該コンテンツに関する情報を取得するステップと、
前記第１の記録媒体に記録されたコンテンツと前記第２の記録媒体に記録されたコンテンツを比較して同一コンテンツがあるか否かの判定を行なうステップと、
前記第１の記録媒体に記録されたコンテンツのコピー制限に関する残りコピー回数情報を取得するステップと、
前記同一コンテンツがあるか否かの判定結果と前記残りコピー回数情報とから警告メッセージを生成するか否かの判定を行なうステップと、
警告メッセージを生成すると判定した場合に、警告メッセージを生成するステップとを備えることを特徴とするコンテンツ記録方法。
【請求項８】
請求項７に記載のコンテンツ記録方法をコンピュータに実行させることを特徴とするプログラム。
【請求項９】
請求項８に記載のプログラムをコンピュータ読み取り可能に記録したことを特徴とする記録媒体。
【発明の詳細な説明】
【技術分野】
【０００１】
本発明は、ある記録媒体に記録したコンテンツを別の記録媒体へコピー（複製）する技術に関する。
【背景技術】
【０００２】
従来は、テレビ放送やラジオ放送等によって、映画、ニュース番組などのコンテンツが配信されてきた。また、昨今の情報処理機器およびネットワーク技術の進展により、インターネット等のネットワークを介した通信によっても、視聴者にコンテンツが配信されている。放送やネットワーク経由で配信されたこれらのコンテンツは、ハードディスクレコーダや各種メディアレコーダなどの記録装置を用いることにより、ハードディスク、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｃ）、メモリーカード等の記録媒体に記録することができる。これらの記録媒体に放送番組をはじめとする多くのコンテンツを記録しておくことで、ユーザは、後にいつでも自由にコンテンツを再生させて視聴することができる。
【０００３】
一般的に、これらコンテンツの記録装置は、取り外しのできないハードディスクを備えている。しかし、実際には、そのハードディスクは容量が限られているため、コンテンツを上述したような別の記録媒体に移す必要がある。また、モバイル端末でコンテンツを再生する場合にも、同様にコンテンツを上述したような別の記録媒体に移す必要がある。
【０００４】
これらのことを実現するため、コンテンツを別の記録媒体にコピー又はムーブ（移動）という枠組みで保存することが可能となっている。ここで、コンテンツのコピーとは、コピー元の記録媒体にコンテンツを残したまま別の記録媒体へ記録する方法であり、コンテンツのムーブとは、別の記録媒体へ記録した後にコピー元の記録媒体にコンテンツが残らないように記録する方法である。
【０００５】
一方、放送やネットワーク経由で配信されるコンテンツには、著作権保護のため、コピー回数の制限されているものがある。従来のコピー制限に関する種類として、コピーネバー（コピー回数が０回）、コピーワンス（コピー回数が１回のみ）、コピーフリー（コピー回数が無制限）等が挙げられる。また、コンテンツの利用が広がっている現状に鑑みユーザの利便性を考えて、コピーワンスのコンテンツのコピー制限回数を増やす、例えば９回にする等、コピー制限を緩和する方向にある。
【０００６】
コピー制限の緩和から、今後は同じコンテンツを上述のような様々な可搬の記録媒体にコピーあるいはムーブして、様々な態様で利用されていくことが考えられる。
【０００７】
しかし、コピー回数の制限が緩和されるとはいっても、既に保存されているコンテンツと同じコンテンツを記録媒体に記録してしまった場合、残りコピー回数を減らすことになることから、ユーザの意に反してしまうことがある。
【０００８】
既に保存済みのデータを重複して記録することを避けるために、データをコピー元の記録媒体からコピー先の記録媒体へコピーする際に、既に同一のデータがコピー先の記録媒体に保存されているか判定を行ない、同一のデータのコピーを回避する技術が開示されている（例えば、特許文献１参照）。
【特許文献１】特開２００５−１８９９８２号公報
【発明の開示】
【発明が解決しようとする課題】
【０００９】
しかしながら、コンテンツのコピー回数に制限があっても、利用態様が多様化している昨今において、ユーザは、コンテンツを同じ記録媒体に複数回コピーして保存しておき、後に該記録媒体から別の記録媒体へコンテンツをムーブさせるなどの利用態様も考えられる。
【００１０】
また、ユーザは、例えば、残りコピー回数が十分に多ければ記録媒体へコピーするが、少なければコピーを行なわないといったように、残りコピー回数によってコピーを行うか行わないかの判断をすることも考えられる。特に、コンテンツの残りコピー回数が１回である場合、別の記録媒体へのコピーはムーブとなってしまうため、ユーザはより慎重に判断する必要がある。
【００１１】
このような利用態様において、特許文献１のように、単純にコピーの重複を回避する技術では、ユーザの意図を十分に実現することができない。
【００１２】
本発明は、上述のごとき実情に鑑みてなされたものであり、その目的は、コピー回数に制限のあるコンテンツをある記録媒体から別の記録媒体へコピーする際に、既に同じコンテンツが保存されているかの判定をするとともに、コンテンツの残りコピー回数に応じた警告を行なうことにより、ユーザの意に反したコンテンツのコピーを防止することを可能とするコンテンツ記録装置、コンテンツ記録方法、該装置に組み込むためのプログラム、該プログラムをコンピュータ読み取り可能に記録した記録媒体を提供することにある。
【課題を解決するための手段】
【００１３】
斯かる実情に鑑み、第１の発明によるコンテンツ記録装置は、コンテンツを第１の記録媒体へ記録する記録手段と、前記第１の記録媒体に記録されたコンテンツを第２の記録媒体へコピーする制御を行なう制御手段と、前記第１の記録媒体に記録されたコンテンツのコピー制限に関する残りコピー回数情報を取得するコピー回数取得手段と、警告表示を行なうか否かの判定を行なう警告表示判定手段と、前記警告表示判定手段の判定結果情報を得て警告メッセージを生成する警告情報生成手段と、前記第２の記録媒体に対して読み書きを行なう記録媒体制御手段と、コンテンツを比較し、同一か否かの判定を行なうコンテンツ比較判定手段と、を備え、前記第１の記録媒体に記録されたコンテンツを前記第２の記録媒体へコピーする際に、前記警告表示判定手段は、前記コピー回数取得手段から前記残りコピー回数情報を取得して、警告表示についての判定を行ない、前記制御手段の制御により、前記記録媒体制御手段は、前記第２の記録媒体に記録されたコンテンツおよび該コンテンツに関する情報を取得し、前記コンテンツ比較判定手段は、前記記録手段から前記第１の記録媒体に記録されたコンテンツおよび／または該コンテンツに関する情報を、前記記録媒体制御手段から前記第２の記録媒体に記録されたコンテンツおよび／または該コンテンツに関する情報を取得して、コンテンツの比較および判定を行ない、前記警告表示判定手段は、前記残りコピー回数情報と、前記コンテンツ比較判定手段からの判定結果情報とから、警告表示についての判定を行ない、警告表示を行う判定の場合、異なる警告メッセージを生成するよう前記警告情報生成手段に前記判定結果情報を出力することを特徴とする。
【００１６】
また、第２の発明によるコンテンツ記録装置は、前記警告表示判定手段が、前記残りコピー回数情報と１つ以上のしきい値とを比較して、その結果により異なる警告メッセージを生成するよう前記警告情報生成手段に判定結果情報を出力することを特徴とする。
【００１７】
また、第３の発明によるコンテンツ記録装置は、前記警告表示判定手段が、前記第２の記録媒体における、前記第１の記録媒体に記録されたコンテンツと同一のコンテンツの数をしきい値と比較して、その結果により異なる警告メッセージを生成するよう前記警告情報生成手段に判定結果情報を出力することを特徴とする。
【００１８】
また、第４の発明によるコンテンツ記録装置は、前記警告表示判定手段が、前記第２の記録媒体に、前記第１の記録媒体に記録されたコンテンツと同一のコンテンツがない場合、警告表示しない判定を行なうことを特徴とする。
【００１９】
また、第５の発明によるコンテンツ記録装置は、前記警告メッセージによりコピーの実行を行なうか入力を受け付ける入力手段を備え、前記制御手段は、前記警告表示判定手段からの判定結果情報と、前記入力手段からの入力情報とにより、前記記録媒体制御手段に、前記第１の記録媒体に記録されたコンテンツを前記第２の記録媒体にコピーさせる制御を行なうことを特徴とする。
【００２０】
また、第６の発明によるコンテンツ記録装置は、前記警告情報生成手段が、前記警告メッセージを映像または音声として生成することを特徴とする。
【００２１】
また、第７の発明によるコンテンツ記録方法は、コンテンツを第１の記録媒体から第２の記録媒体にコピーするコンテンツ記録方法であって、前記第１の記録媒体に記録されたコンテンツおよび／または該コンテンツに関する情報を取得するステップと、前記第２の記録媒体に記録されたコンテンツおよび／または該コンテンツに関する情報を取得するステップと、前記第１の記録媒体に記録されたコンテンツと前記第２の記録媒体に記録されたコンテンツを比較して同一コンテンツがあるか否かの判定を行なうステップと、前記第１の記録媒体に記録されたコンテンツのコピー制限に関する残りコピー回数情報を取得するステップと、前記同一コンテンツがあるか否かの判定結果と前記残りコピー回数情報とから警告メッセージを生成するか否かの判定を行なうステップと、警告メッセージを生成すると判定した場合に、警告メッセージを生成するステップとを備えることを特徴とする。
【００２２】
また、本発明に係るプログラムは、前記コンテンツ記録方法をコンピュータに実行させることを特徴とする。
【００２３】
また、本発明に係る記録媒体は、前記プログラムをコンピュータ読み取り可能に記録したことを特徴とする。
【発明の効果】
【００２４】
本発明によれば、コンテンツを記録媒体へコピーする前に、コピー対象のコンテンツの残りコピー回数を取得し、該残りコピー回数に応じて警告メッセージを生成、表示するので、ユーザの意図しないコンテンツのコピーを防止することができる。
【００２５】
また、本発明によれば、コピー先にそのコンテンツが既に記録されているか否かを判定し、該判定結果と残りコピー回数とから、ユーザに再度、コピーの実行を行なってもよいか確認させる警告メッセージを生成、表示することにより、単に重複コピーを避けるのではなく、コンテンツ利用態様の多様性に合わせたコピーが可能となる。
【００２６】
また、本発明によれば、コンテンツの残りコピー回数と、コピー先にそのコンテンツが既に記録されているかの判定結果とから、表示する警告メッセージの内容を異ならせることで、常に同一の内容のメッセージを表示する場合と比べて、ユーザの注目を引く。これにより、ユーザの注意をより確実に喚起し、慎重な判断を促すことができる。
【００２７】
また、本発明によれば、残りコピー回数と比較するしきい値の数を増やすことによって、より詳細な警告メッセージをユーザに表示してユーザに一層の注意を喚起し、より的確にコピー実行の判断をさせることができる。
【００２８】
また、本発明によれば、コピー先にそのコンテンツが既に記録されている場合であっても、記録されているコンテンツの数が少ないとユーザの意図しない重複コピーである可能性が高いが、記録されているコンテンツの数が多くなると、ユーザの意図により重複となっている可能性がある。記録されているコンテンツの数を警告メッセージの警告レベルとして設定することにより、ユーザの利用態様に合わせた警告が可能となる。
【００２９】
また、本発明によれば、コピー先にそのコンテンツが既に記録されているか否かを判定し、記録されていない場合には重複とならないことから警告メッセージの表示を行なわないことで、ユーザの利便性を向上させることができる。
【００３０】
また、本発明によれば、警告メッセージの内容と、該警告メッセージに対する入力情報とにより、コピー実行の制御を行なうので、ユーザの意図を反映したコンテンツのコピーが可能となる。
【発明を実施するための最良の形態】
【００３１】
以下、本発明の実施の形態を図示例と共に説明する。
【００３２】
（第１の実施の形態）
本発明の第１の実施形態における記録装置について、図１乃至図４を用いて説明する。
【００３３】
図１は、本発明の第１の実施形態における記録装置１の概略構成を示した機能ブロック図である。記録装置１は、現在放送（配信）中の番組データ（コンテンツ）およびその番組データに関する番組情報を、放送波あるいはネットワークを経由して受信する番組受信部１０１と、受信した番組データおよび番組情報を記録し、保存する記録部１０２と、番組データのコピー先となる外部の記録媒体に対して、データの読み書き処理等を行なう記録媒体制御部１０３と、記録部１０２に記録された番組情報から残りコピー回数情報を取得するコピー回数取得部１０４と、記録部１０２からコピーする番組データが、すでにコピー先の記録媒体に記録されているか否かを判定する番組比較判定部１０５と、番組データをコピーする前に、ユーザに対して警告メッセージの表示を行なうか否かを判定する警告表示判定部１０６と、ユーザに表示する警告メッセージの内容を生成する警告情報生成部１０７と、警告メッセージを見て行なうユーザの入力操作に応じて、コピーの実行を制御するコピー制御部１０８と、ユーザの入力操作を受け付ける入力部１０９と、警告メッセージ等を表示する表示部１１０と、を含んで構成される。
【００３４】
番組受信部１０１は、現在放送（配信）中の映像データや音声データを含む番組データと、その番組データの残りコピー回数情報などを含む番組情報とを合わせて受信し、記録部１０２へ出力する。
【００３５】
記録部１０２は、番組受信部１０１から受け取った番組データおよび番組情報を記録媒体へ記録する。
【００３６】
図２は、記録部１０２に記録された番組情報の一例を示した図である。
番組情報には、例えば、番組名、残りコピー回数、放送チャンネル、ジャンル、記録日時又は録画時間などが挙げられる。
記録する番組は、ユーザが録画を指示した番組に限っても、放送されたすべての番組としてもよい。記録媒体は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、フラッシュメモリなどの内部記録媒体に限らず、カセットテープ、ＢＤ、ＤＶＤなどの各種光ディスク、ＳＤメモリーカード（Ｓｅｃｕｒｅ  Ｄｉｇｉｔａｌ  ｍｅｍｏｒｙ  ｃａｒｄ）などの各種メモリーカードといった外部記録媒体でもよい。
【００３７】
記録部１０２は、また、コピー制御部１０８からの指示により番組データを外部の記録媒体へコピーする際に、その番組データおよび番組情報を番組比較判定部１０５へ出力する。更に、後で詳細を説明するが、番組データを外部の記録媒体へコピーまたはムーブすると確定した後は、コピー制御部１０８からの指示があり、記録した番組データおよび番組情報を記録媒体制御部１０３へ出力する。番組のコピーまたはムーブが完了したら、その番組データに関する番組情報の残りコピー回数情報について更新する。この時、コピー実行前の番組の残りコピー回数が２回以上であれば、残りコピー回数を１減らして記録するが、残りコピー回数が１回の場合はムーブとなるため、その番組データと番組情報を記録部１０２から消去する。
【００３８】
記録媒体制御部１０３は、番組データのコピー先となる上述のような外部の記録媒体にすでに記録されている番組データおよび番組情報を読み出し、番組比較判定部１０５へ出力する。また、コピー制御部１０８から受け取ったコピー実行の指示により、記録部１０２からコピーする番組データおよび番組情報を受け取り、外部の記録媒体に記録する。記録媒体制御部１０３は、対応する記録媒体の種類に合わせて、１つまたは複数の光ディスクドライブや、メモリーカードリーダ／ライタなどを組み合わせて構成してもよい。
【００３９】
コピー回数取得部１０４は、コピー対象になっている番組データの番組情報を番組比較判定部１０５から受け取り、番組情報に含まれる残りコピー回数情報を抽出し、警告表示判定部１０６へ出力する。コピーフリーのコンテンツのように、コピー回数が無制限の場合は、残りコピー回数の値を、例えば“＊”（アスタリスク）などの記号や、−１などの一般の有限回数と区別可能な特別な値を用いて表せばよい。
【００４０】
番組比較判定部１０５は、記録部１０２から受け取ったコピー対象の番組データおよびその番組情報を、記録媒体制御部１０３から受け取った、外部の記録媒体に記録されている番組データおよびそれらの番組情報と比較することによって、コピー対象の番組がすでにコピー先の記録媒体に記録されているか否かの判定を行ない、判定結果を警告表示判定部１０６へ出力する。ある２つの番組が同じか否かを判断するための比較に用いる情報は、図２に示したような、番組名、放送チャンネル、番組のジャンル、記録日時、録画時間などの番組に付随する、あるいは番組に付加する番組情報だけでなく、番組の音声属性情報や映像属性情報などの番組データそのものから抽出される情報を用いてもよい。また、コンテンツＩＤのような識別子を用いてもよい。
【００４１】
また、番組比較判定部１０５は、記録部１０２から受け取った番組情報をコピー回数取得部１０４へ出力する。
【００４２】
警告表示判定部１０６は、コピー回数取得部１０４から受け取ったコピー対象の番組の残りコピー回数情報と、番組比較判定部１０５から受け取った判定結果を用いて、コピーを実行する前にユーザに警告メッセージを表示するか否かを判定し、判定結果をコピー制御部１０８へ出力する。また、警告表示判定部１０６は、警告メッセージを表示すると判定した場合、警告メッセージを生成する旨の指示信号とともに残りコピー回数情報を警告情報生成部１０７へ出力する。受け取った情報から具体的にどのように判定を行なうかの詳細については後で、フローチャートを用いて説明する。
【００４３】
警告情報生成部１０７は、警告表示判定部１０６から受け取ったコピー対象の残りコピー回数情報等に応じて、ユーザに対する警告メッセージを生成し、出力部１１０に出力して表示させる。
【００４４】
図３は、ユーザにコンテンツの残りコピー回数に対する注意を喚起するための警告メッセージの表示例である。図３（ａ）および図３（ｂ）は、コンテンツの残りコピー回数に比較的余裕がある場合の表示例である。図３（ｃ）および図３（ｄ）は、コンテンツの残りコピー回数があと僅かしかない場合の表示例であり、図３（ａ）および図３（ｂ）の表示と比べて、例えば、残りコピー回数の文字の大きさを大きくしたり、下線により文字を強調したり、あるいは警告メッセージの内容をよりユーザの注意を引くものに変更したりして、より確実に注意を喚起する。より確実に注意を喚起するための表示方法としては、図３に示した他にも、文字の色を例えば赤色に変更したり、文字の太さを太くしたり、字体を変えて強調してもよい。さらには、映像のみに限らず、同時に音声を出力させるなどしてもよい。
【００４５】
コピー制御部１０８は、警告表示判定部１０６から受け取った判定結果と、入力部１０９から受け取ったユーザの警告メッセージに対する入力情報を用いて、コピーを実行するか否かを判断する。警告表示判定部１０６からの判定結果がユーザに警告メッセージを表示しない判定であれば、そのまま、記録部１０２および記録媒体制御部１０３に対してコピーの実行を指示する。警告表示判定部１０６からの判定結果が警告メッセージを表示する判定であれば、入力部１０９からの出力を待ち、ユーザの判断を確認する。ユーザがコピーを実行する旨の入力を行なえば、上述の通り記録部１０２および記録媒体制御部１０３にコピーの実行を指示する。逆に、コピーを実行しない判断であれば、コピーの実行を指示せず、コンテンツのコピーを行なわない。
【００４６】
入力部１０９は、例えば、リモコン、キーボード、マウス等の入力装置（不図示）からの入力信号を受け付ける。例えば、表示した警告メッセージに対するユーザの入力を受け付け、該入力情報をコピー制御部１０８に出力する。
【００４７】
出力部１１０は、ディスプレイなどの外部表示装置（不図示）に、例えば、番組データや警告メッセージ等を出力して表示させる。
【００４８】
次に、本実施形態における番組データのコピーの開始から完了までの処理について説明する。
図４は、記録装置における番組データのコピーの処理の流れを示したフローチャート図である。
【００４９】
まず、ユーザは番組データのコピー先の記録媒体Ａ１を、記録媒体制御部１０３の光ディスクドライブあるいはカードリーダ／ライタなどに装着する（ステップＳ１）。その後、ユーザは、入力装置から操作を行ない、入力部１０９から入力された情報を基に、コピー制御部１０８は、記録部１０２から番組データのリスト情報等を取得して、出力部１１０に該リスト情報を表示させ、ユーザに記録媒体Ａ１にコピーする番組データＢ１を選択させる。選択した番組データＢ１に関する入力情報は、入力部１０９を介してコピー制御部１０８に伝達される（Ｓ２）。
【００５０】
次に、コピー制御部１０８は、番組比較判定部１０５を制御して、記録部１０２から番組データＢ１に関する番組情報および／または番組データを取得させるとともに、記録媒体制御部１０３を制御して、記録媒体Ａ１から記録された番組情報および／または番組データを取得させ、更に番組比較判定部１０５に順次出力させる（Ｓ３）。
【００５１】
一方、番組比較判定部１０５は、番組データＢ１の番組情報をコピー回数取得部１０４に出力し、コピー回数取得部１０４は、該番組情報から残りコピー回数ｎを抽出し、警告表示判定部１０６に出力する（Ｓ４）。
【００５２】
警告表示判定部１０６は、コピー回数取得部１０４から出力を得た番組データＢ１の残りコピー回数ｎが、回数制限なしを示す値であるか否かの判定を行なう（Ｓ５）。
【００５３】
番組データＢ１のコピー回数制限がない場合（Ｓ５で「Ｙｅｓ」）、警告表示判定部１０６は、警告メッセージを表示しないと判定し、コピー制御部１０８に判定結果を出力し、コピー制御部１０８は、記録媒体制御部１０３に番組データＢ１を記録媒体Ａ１にコピーさせるように制御する（Ｓ１５）。
【００５４】
番組比較判定部１０５では、番組データＢ１の番組情報および／または番組データと、記録媒体Ａ１に記録されているデータの番組情報および／または番組データとを順次比較していき、同一のデータがあるか否かの判定を行ない（Ｓ６）、判定結果を警告表示判定部１０６に出力する。
【００５５】
番組データＢ１のコピー回数制限がある場合に（Ｓ５で「Ｎｏ」）、警告表示判定部１０６は、番組比較判定部１０５からの番組データ比較結果を認識する。同一データありとする場合（Ｓ６で「Ｙｅｓ」）、警告表示判定部１０６は、番組データＢ１の残りコピー回数ｎの値と、しきい値Ｘの値を比較する（Ｓ７）。ここでＸは、例えば図３（ｂ）、（ｃ）に示したように、ユーザに表示する警告メッセージの種類を、残りコピー回数に応じて切り替えるための判定基準となる値で警告表示判定部１０６に設定されている。この値は、あらかじめ記録装置１の製造時に設定しておいてもよいし、ユーザが事前に自由に設定できるようにしておいてもよい。
【００５６】
更にまた、警告表示判定部１０６は、残りコピー回数ｎの値が、しきい値Ｘ以下の場合（Ｓ７で「Ｙｅｓ」）、残りコピー回数ｎが１であるか否かの判定を行なう（Ｓ８）。残りコピー回数ｎが１である場合（Ｓ８で「Ｙｅｓ」）、コピーでなく、ムーブとなってしまうため、警告表示判定部１０６は、該判定結果をコピー制御部１０８に出力するとともに、警告情報生成部１０７に出力して、出力部１１０に例えば図３（ｄ）のような警告メッセージの表示を行なわせる（Ｓ９）。
【００５７】
また、残りコピー回数ｎがしきい値Ｘ以下で、１ではなかった場合（Ｓ８で「Ｎｏ」）、残りコピー回数が僅かしかない状態であるので、警告表示判定部１０６は、同様に判定結果をコピー制御部１０８に出力するとともに、警告情報生成部１０７に、例えば図３（ｃ）のような警告レベルの高い（警告レベル２）警告メッセージを生成させ、出力部１１０に表示させる（Ｓ１０）。
【００５８】
ステップＳ７の比較結果が、ｎ＞Ｘの場合（Ｓ７で「Ｎｏ」）、警告表示判定部１０６は、コピー制御部１０８に判定結果を出力するとともに、警告情報生成部１０７に、例えば図３（ｂ）に示したような警告レベルの低い（警告レベル１）警告メッセージを生成させ表示する（Ｓ１１）。ここでは説明のため、警告レベルの値が大きいほどコンテンツの重要度が大きい、すなわちユーザにより注意を喚起したいことを表すとし、以降の説明でもこの意味で用いる。
【００５９】
また、記録媒体Ａ１に番組データＢ１と同じデータがなかった場合（Ｓ６で「Ｎｏ」）、警告表示判定部１０６は、残りコピー回数がムーブとなるｎ＝１であるかの判定を行なう（Ｓ１２）。残りコピー回数が１であった場合（Ｓ１２で「Ｙｅｓ」）、警告表示判定部１０６は、判定結果をコピー制御部１０８に出力するとともに、Ｓ９の処理を行なう
【００６０】
残りコピー回数が１より大きい場合（Ｓ１２で「Ｎｏ」）、警告表示判定部１０６は、判定結果をコピー制御部１０８に出力するとともに、例えば図３（ａ）のように、残りコピー回数を表示する警告メッセージを警告情報生成部１０７に生成させる（Ｓ１３）。なお、Ｓ１２でＮｏの場合、警告表示判定部１０６は、警告メッセージを表示させないとしてもよい。この場合、警告表示判定部１０６は、コピー制御部１０８に、判定結果を出力し、コピー制御部１０８は、ユーザからの入力情報を待たずに、記録媒体制御部１０３にコピーの実行を行なわせるよう制御することになる。
【００６１】
次に、警告表示判定部１０６から判定結果を受け取っているコピー制御部１０８は、警告メッセージに対するユーザの操作入力を待ち、コピーの実行を行なうか否かの判定を行なう（Ｓ１４）。コピーの実行を行なうとする入力情報が入力部１０９から入力され、コピー実行の判定がなされた場合（Ｓ１４で「Ｙｅｓ」）、コピー制御部１０８は、記録媒体制御部１０３を制御して、番組データＢ１を記録媒体Ａ１にコピーさせ（Ｓ１５）、コピー処理を終了する。
【００６２】
コピーを実行しないとする入力情報が入力部１０９から入力され、コピー実行をしない判定がなされた場合（Ｓ１４で「Ｎｏ」）、何もせずにコピー処理を終了する。
【００６３】
以上説明したように、本実施形態において、記録装置１は、コピー回数取得部１０４、番組比較判定部１０５、警告表示判定部１０６、および警告情報生成部１０７を備えて、コピー対象の番組データ（コンテンツ）のコピー回数に制限があり、なおかつその番組データがすでにコピー先の記録媒体に存在する場合には、コピーを回避するのではなく、ユーザに警告メッセージを表示することが可能となった。
【００６４】
更に、その番組データの残りコピー回数に応じて警告メッセージの内容を変更することにより、常に同一の内容のメッセージを表示する場合と比べてユーザの注目を引く。これにより、ユーザにより確実に注意を喚起し、慎重な判断を促すことが可能となった。
【００６５】
なお、図４のフローチャート中のＳ７において、コピー対象のコンテンツの残りコピー回数ｎとしきい値Ｘを比較することにより、異なる警告レベルの警告メッセージを表示させているが、警告レベルを決定する他の方法として、コピー先の記録媒体Ａ１にすでに記録されている番組データＢ１の個数に注目し、この個数に応じて警告レベルを変更させてもよい。
【００６６】
例えば、記録媒体Ａ１に番組データＢ１がすでに１個存在している場合、番組データＢ１の記録媒体Ａ１へのコピーは、ユーザが以前に記録媒体Ａ１に番組データＢ１をコピーしていたことを忘れてしまっているなどの、ユーザの意図しない重複コピーである可能性が高い。しかしながら、例えば、記録媒体Ａ１に番組データＢ１がすでに複数個存在している場合、番組データＢ１の記録媒体Ａ１へのコピーは、上述の１個の場合と比較すると、ユーザが意図して実行している可能性が高いため、警告レベルの数値がより小さい警告メッセージを表示させること等が考えられ、記録媒体Ａ１での番組データＢ１の個数をしきい値としてもよい。
【００６７】
（第２の実施の形態）
本実施形態では、警告表示判定および警告情報生成についての別の実施形態について説明する。
本実施形態における記録装置の機能ブロック図は、第１の実施形態と同様である。
【００６８】
図５は、記録装置１における番組データのコピー処理を説明した図４のフローチャートの点線で囲まれたステップＳ７〜Ｓ１１に相当する、本実施形態における警告表示判定部１０６および警告情報生成部１０７が行なう処理を説明するためのフローチャートである。
【００６９】
第１の実施形態と異なるのは、図５に示した処理であり、その他の処理については、図４と同様であるので、説明を省略する。
【００７０】
図５では、ユーザに表示する警告メッセージの種類を判定するに際し、Ｓ４で取得したコピー対象番組データの残りコピー回数ｎと比較するしきい値の数を増やしている。
【００７１】
警告表示判定部１０６は、まず、ｎの値としきい値Ｘの値を比較する（Ｓ２１）。Ｓ２１の比較結果、ｎ≦Ｘである場合（Ｓ２１で「Ｙｅｓ」）、警告表示判定部１０６は、ｎの値がムーブとなることを意味する１であるかの判定を行なう（Ｓ２２）。ｎ＝１である場合（Ｓ２２で「Ｙｅｓ」）、警告表示判定部１０６は、警告情報生成部１０７にムーブであることを警告させる警告メッセージを生成させる（Ｓ２３）。
【００７２】
ｎ＝１でない場合（Ｓ２２で「Ｎｏ」）、警告表示判定部１０６は、最も警告レベルの高い警告レベル３の警告メッセージを警告情報生成部１０７に生成させる（Ｓ２４）。
【００７３】
ｎ＞Ｘである場合（Ｓ２１で「Ｎｏ」）、次に警告表示判定部１０６は、ｎの値としきい値Ｙ（Ｘ＜Ｙ）の値を比較する（Ｓ２５）。Ｓ２５の比較結果、ｎ≦Ｙである場合（Ｓ２５で「Ｙｅｓ」）、警告表示判定部１０６は、警告レベル２の警告メッセージを警告情報生成部１０７に生成させる（Ｓ２４）。
【００７４】
ｎ＞Ｙである場合（Ｓ２５で「Ｎｏ」）、警告表示判定部１０６は、警告レベルの最も低い警告レベル１の警告メッセージを警告情報生成部１０７に生成させる（Ｓ２７）。
【００７５】
警告情報生成部１０７が、出力部１１０に各レベルの警告メッセージを表示させた後、警告表示判定部１０６から判定結果の出力を得ているコピー制御部１０８は、ユーザからのコピーを実行するか否かの判断を入力部１０９を介して受け取り、コピーを実行するか否かの判定を行なう（Ｓ１４）。
【００７６】
このように、しきい値の数を増やすことによって、より詳細な警告メッセージをユーザに表示することができ、それによって、ユーザに一層の注意を喚起し、より的確にコピー実行の判断をさせることが可能となる。
【００７７】
なお、ここで設定されているしきい値は、予め記録装置１の製造時に設定されていてもよいし、後でユーザが自由に設定できるようにしてもよい。
【００７８】
また、以上の例ではユーザに必ず警告メッセージを表示させているが、ｎが最大のしきい値Ｙより大きい場合、残りコピー回数が十分であると考えられることから、ステップＳ２７における表示を行なわずに、即座にステップＳ１５に進んでコピーを実行するようにしてもよい。残りコピー回数が十分に多いときには、必ずしも警告メッセージを出さないようにすることで、ユーザの利便性を向上させることが可能となる。
【００７９】
ところで、上述した実施形態における記録装置１では、コンテンツのコピー元の記録媒体が含まれる記録部１０２と、コピー先の外部の記録媒体に対して読み書き処理を行なう記録媒体制御部１０３が一体となった構成となっている。しかしながら、図６に示すように、番組を記録するハードディスクレコーダなどの記録装置２と、ＢＤ、ＤＶＤ、ＳＤメモリーカードなどの外部記録媒体にコンテンツを記録する記録媒体制御部３０１を備えた外部記録装置３を別々の装置とし、装置間をＩＥＥＥ１３９４などの機器間を接続するインタフェースを用いて構成したとしても、記録装置２および外部記録装置３に含まれる各機能ブロックに、図１の記録装置１の各機能ブロックと同一の機能を持たせることで、同様に実現可能である。図６のうち、図１と同一の機能を有するものについては、同一の符号を付している。図６では、コピー元の記録装置２において、ユーザに対する警告メッセージを生成し、ディスプレイなどの図示しない外部の表示装置に表示させている。
【００８０】
なお、本発明のコンテンツ記録装置、コンテンツ記録方法、プログラムおよび記録媒体は、上述の図示例にのみ限定されるものではなく、本発明の要旨を逸脱しない範囲内において種々変更を加え得ることは勿論である。
【図面の簡単な説明】
【００８１】
【図１】本発明に係る記録装置の一構成例を示した機能ブロック図である。
【図２】本発明に係る記録装置における記録部に記録されている番組情報の一例を示す図である。
【図３】本発明に係る記録装置における警告情報生成部で生成される警告メッセージの表示例を示す図である。
【図４】本発明に係る記録装置における番組データのコピー処理の一例を説明するためのフロー図である。
【図５】本発明に係る記録装置における番組データのコピー処理の一例を説明するためのフロー図である。
【図６】本発明に係る記録装置の別の構成例を示した機能ブロック図である。
【符号の説明】
【００８２】
１、２、３  記録装置
１０１  番組受信部
１０２  記録部
１０３、３０１  記録媒体制御部
１０４  コピー回数取得部
１０５  番組比較判定部
１０６  警告表示判定部
１０７  警告情報生成部
１０８  コピー制御部
１０９  入力部
１１０  出力部
【図１】
0004851437.tif 000002
【図２】
0004851437.tif 000003
【図４】
0004851437.tif 000004
【図５】
0004851437.tif 000005
【図６】
0004851437.tif 000006
【図３】
0004851437.tif 000007